(57)【要約】【課題】捩れ強度及び引張強度が高く、耐久年数を長くすることができると共に変形を防止することができるドア枠部材及びドア枠を提供する。【解決手段】枠部材２は、帯板の長手方向の全領域に亘って溝状凹部２１を設けてなり、該溝状凹部２１から前記帯板の一側縁側へ延出した部分は、溝状凹部２１の底部から所定長だけ突出するように屈曲させて第１側面部２２になすと共に、その先縁部をフック部２５にしてある。枠部材２の溝状凹部２１から前記帯板の他側縁側へ延出した部分は、溝状凹部２１の深さ方向と直交し、溝状凹部２１から離隔する方向へ屈曲させてフランジ部２３になし、溝状凹部２１の深さ方向へ、溝状凹部２１の底部から所定長だけ突出するように屈曲させて第２側面部２４になすと共に、その先縁部をフック部２５にしてある。【選択図】図２
2005253414.tif 000002
【特許請求の範囲】
【請求項１】
条材に、シートを固定するための溝状凹部が長手方向へ延設してある本体を備え、複数の本体を連結させてドア枠を形成するドア枠部材において、
前記本体は、前記溝状凹部の一側縁側に延設してあり、当該溝状凹部の深さ方向へ、溝状凹部の底部から所定寸法だけ突出させた第１側面部と、前記溝状凹部の他側縁側に延設してあり、前記第１側面部と交わる方向へ延設したフランジ部と、該フランジ部から前記溝状凹部の深さ方向へ延設してあり、溝状凹部の底部から前記第１側面部の突出部分と同じ寸法だけ突出させた第２側面部とを具備することを特徴とするドア枠部材。
【請求項２】
前記本体には、第１側面部の縁部及び第２側面部の縁部を内向きに屈曲させたフック部がそれぞれ設けてあり、
前記第１側面部のフック部及び第２側面部のフック部にそれぞれ係合する一対の係合部が基材に設けてある補強部材を備え、
この補強部材の両係合部を対応するフック部に係合させた状態で基材を本体に着脱可能に固定することによって本体を補強してある請求項１記載のドア枠部材。
【請求項３】
条材に、シートを固定するための溝状凹部が長手方向へ延設してある本体を備える複数のドア枠部材を連結させたドア枠において、
請求項１又は２記載のドア枠部材を用いてなることを特徴とするドア枠。
【発明の詳細な説明】
【技術分野】
【０００１】
本発明は、植物の栽培及び動物の育成等に使用するハウスのドアの骨材たるドア枠部材、及び該ドア枠部材を用いて構成したドア枠に関する。
【背景技術】
【０００２】
複数の骨材で構築した骨組みの周囲をビニールシートで覆ったビニールハウスがある。かかるビニールハウスでは、その妻面に矩形の出入口が設けてあり、この出入口には、複数の枠部材を例えば「目」字状に接続してなるドア枠をビニールシートで覆ったドアが、開閉自在に配設してある。このようなドア枠として、後述する特許文献１には次のようなものが開示されている。
【０００３】
図１０は、特許文献１に開示されたドア枠の使用様態を示す部分斜視図であり、図中、６１は、出入口の上端部に横架された上レール、５１は、該上レール６１に吊下されたドア枠である。また、図１１は、図１０に示した上レール６１及びドア枠５１の部分縦断面図である。上レール６１は、帯板を端面視が矩形Ｃ字状に曲加工することによって一面に開口６２を設けてなり、この開口６２が下に向くように配設されている。上レール６１の内部には鼓形状の２つの戸車６３，６３が前記開口６２を跨ぐように挿入してあり、両戸車６３，６３の括れ部分の周囲には、ドア枠５１を支持する倒立Ｊ字状の支持具６４，６４が遊嵌してある。
【０００４】
ドア枠５１は、距離を隔てて互いに平行に配した縦枠部材５２ａ，５２ａの間に、縦枠部材５２ａと同じ端部形状・端部寸法の複数の横枠部材５２ｂ，５２ｂ，…を、例えば目字状に横架させ、縦枠部材５２ａ，５２ａと複数の横枠部材５２ｂ，５２ｂ，…とを螺子止めして形成してある。このドア枠５１の少なくとも一面側を図示しないビニールで覆うことによってドアが形成される。
【０００５】
前述した縦枠部材５２ａ及び横枠部材５２ｂは、帯板の長手方向の全領域に亘って、その幅方向の中央より少し一側縁側の部分を、端面視が縦断フラスコ底形状に曲加工して、ビニール止用のスプリング（図示せず）を嵌入させる溝状凹部５３を設けてなり、該溝状凹部５３の一側から延出した部分は、溝状凹部５３の深さ方向へ、溝状凹部５３の底部から所定長だけ突出するように屈曲させて側面部５４になすと共に、その先縁部を内巻き円筒状に巻回させてある。また、縦枠部材５２ａ及び横枠部材５２ｂの前記溝状凹部５３の他側から延出した部分は、溝状凹部５３の深さ方向へ、溝状凹部５３の底部位置まで屈曲させた後、その位置で、溝状凹部５３の深さ方向と直交し、溝状凹部５３から離隔する方向へ屈曲させてある。
【０００６】
このように、縦枠部材５２ａ及び横枠部材５２ｂは、端面視が全体としてＬ字状をなしており、これによって、縦枠部材５２ａと横枠部材５２ｂとの連結領域、及び支持具６４の横枠部材５２ｂへの取付け領域を得ると共に、材料に要するコストを可及的に低くしている。
【０００７】
横枠部材５２ｂの両端部にはそれぞれ、前述した側面部５４を所定長だけ切削した切り欠きを設けて連結部（側面部５４以外の部分）が形成してある。そして、縦枠部材５２ａ，５２ａを、各側面部５４，５４を外側にして、所定距離を隔てて互いに平行に配置し、その間に横枠部材５２ｂを、横枠部材５２ｂの両連結部が対応する縦枠部材５２ａに外嵌するように横架させ、横枠部材５２ｂの両連結部と縦枠部材５２ａ，５２ａとを螺子止めしてドア枠５１が形成してある。かかるドア枠に長方形のビニールシートを被覆させ、このビニールシートの外側からその各縁部又は中間部分を複数の蛇行形状の前記スプリングでそれぞれ押さえ、各スプリングを、対応する縦枠部材５２ａ，５２ａ及び横枠部材５２ｂ，５２ｂ，…の溝状凹部５３，５３，…内に嵌入させてドアを形成する。
【０００８】
このドア枠５１の最上段の横枠部材５２ｂの前記支持具６４，６４に対向する部分にはそれぞれ２つずつ貫通孔が開設してある。また、前述した支持具６４，６４は、短寸脚部及び長寸脚部を具備しており、長寸脚部の外周面には螺子山が切削してある。この支持具６４，６４は、両脚部を対応する貫通孔に挿通させ、長寸脚部にナットを螺着させることによって、横枠部材５２ｂに固定してあり、ドア枠５１は、両支持具６４，６４及び戸車６３，６３によって上レール６１に、その長手方向へスライド自在に吊下されている。
【０００９】
【特許文献１】特開平８−２６６１６６号公報（図１、図４）
【発明の開示】
【発明が解決しようとする課題】
【００１０】
しかしながら、このような従来のドア枠５１にあっては、縦枠部材５２ａ及び横枠部材５２ｂが、その端面視が全体としてＬ字状をなしているため、捩れ強度が低く、ドア枠５１の耐久年数が短いという問題があった。また、吊戸にした場合、ドア枠５１の最上段の横枠部材５２ｂの側面部５４と支持具６４，６４の連結部分でドアの全質量を支持することとなるが、横枠部材５２ｂの側面部５４の引張強度が低いため、ドアに鉛直方向の過大な力が加えられた場合、当該側面部５４が変形する虞があった。
【００１１】
本発明は、斯かる事情に鑑みてなされたものであって、捩れ強度及び引張強度が高く、これによって耐久年数を長くすることができると共に、鉛直方向の過大な力が加えられた場合であっても変形を防止することができるドア枠部材、及びこのドア枠部材を用いてなるドア枠を提供する。
【課題を解決するための手段】
【００１２】
請求項１記載の本発明は、条材に、シートを固定するための溝状凹部が長手方向へ延設してある本体を備え、複数の本体を連結させてドア枠を形成するドア枠部材において、前記本体は、前記溝状凹部の一側縁側に延設してあり、当該溝状凹部の深さ方向へ、溝状凹部の底部から所定寸法だけ突出させた第１側面部と、前記溝状凹部の他側縁側に延設してあり、前記第１側面部と交わる方向へ延設したフランジ部と、該フランジ部から前記溝状凹部の深さ方向へ延設してあり、溝状凹部の底部から前記第１側面部の突出部分と同じ寸法だけ突出させた第２側面部とを具備することを特徴とする。
【００１３】
請求項２記載の本発明は、前記本体には、第１側面部の縁部及び第２側面部の縁部を内向きに屈曲させたフック部がそれぞれ設けてあり、前記第１側面部のフック部及び第２側面部のフック部にそれぞれ係合する一対の係合部が基材に設けてある補強部材を備え、この補強部材の両係合部を対応するフック部に係合させた状態で基材を本体に着脱可能に固定することによって本体を補強してあることを特徴とする。
【００１４】
請求項３記載の本発明は、条材に、シートを固定するための溝状凹部が長手方向へ延設してある本体を備える複数のドア枠部材を連結させたドア枠において、請求項１又は２記載のドア枠部材を用いてなることを特徴とする。
【発明の効果】
【００１５】
請求項１記載の本発明では、条材に、シートを固定するための溝状凹部が長手方向へ延設してある本体は、溝状凹部の一側縁側に延設してあり、当該溝状凹部の深さ方向へ、溝状凹部の底部から所定寸法だけ突出させた第１側面部と、前記溝状凹部の他側縁側に延設してあり、前記第１側面部と交わる方向へ延設したフランジ部と、該フランジ部から前記溝状凹部の深さ方向へ延設してあり、溝状凹部の底部から前記第１側面部の突出部分と同じ寸法だけ突出させた第２側面部とを具備する。すなわち、本体は、端面視が全体としてコ字状をなしており、従って、捩れ強度及び引張強度が高く、かかるドア枠部材で構成したドアの耐久年数を長くすることができると共に、ドアに鉛直方向の過大な力が加えられた場合であっても変形を防止することができる。
【００１６】
請求項２記載の本発明では、本体には、第１側面部の縁部及び第２側面部の縁部を内向きに屈曲させたフック部がそれぞれ設けてあり、第１側面部のフック部及び第２側面部のフック部にそれぞれ係合する一対の係合部が基材に設けてある補強部材を備え、この補強部材の両係合部を対応するフック部に係合させた状態で基材を本体に着脱可能に固定することによって本体を補強してあるため、更に、捩れ強度及び引張強度を向上させることができる。また、補強部材は、本体の適宜の位置に取付けることができ、これによって、ドア枠部材同士の連結部、戸車の取付け部等、所要の部分の強度を高くすることができる。従って、どのような設計変更にも対応することができる一方、本体の製造に要する材料コストの上昇を可及的に抑制することができる。
【００１７】
請求項３記載の本発明では、条材に、シートを固定するための溝状凹部が長手方向へ延設してある本体を備える複数のドア枠部材を連結させたドア枠において、請求項１又は２記載のドア枠部材を用いてなるため、前同様、捩れ強度及び引張強度が高く、かかるドア枠で構成したドアの耐久年数を長くすることができると共に、ドアに鉛直方向の過大な力が加えられた場合であっても変形を防止することができる。また、本体に補強部材を取付けた場合、更に、捩れ強度及び引張強度を向上させることができるのに加え、所要の部分の強度を高くすることができるため、どのような設計変更にも対応することができる一方、本体の製造に要する材料コストの上昇を可及的に抑制することができる。
【発明を実施するための最良の形態】
【００１８】
本発明に係るドア枠部材は、条材に、シートを固定するための溝状凹部が長手方向へ延設してある本体を備え、該本体は全体としてコ字状になしてある。即ち、本体には、溝状凹部の深さ方向へ、溝状凹部の底部から所定寸法だけ突出させた第１側面部が、溝状凹部の一側縁側に延設してある。また、本体の溝状凹部の他側縁側には、前記第１側面部と交わる方向へ延設したフランジ部が延設してあり、このフランジ部から、溝状凹部の底部から前記第１側面部の突出部分と同じ寸法だけ突出させた第２側面部が溝状凹部の深さ方向へ延設してある。
【００１９】
更に、ドア枠部材の本体には、第１側面部の縁部及び第２側面部の縁部を内向きに屈曲させたフック部がそれぞれ設けてあり、ドア枠部材は、第１側面部のフック部及び第２側面部のフック部にそれぞれ係合する一対の係合部が基材に設けてある補強部材を備え、この補強部材の両係合部を対応するフック部に係合させた状態で基材を本体に固定することによって本体を補強してある。
【００２０】
そして、かかる複数のドア枠部材を連結させてドア枠を構成してある。即ち、横に配するドア枠部材の両端に、第１側面部及び第２側面部を切り欠くことによって連結部をそれぞれ形成しておき、両連結部を、縦に配したドア枠部材の各フランジ部にそれぞれ外嵌させ、ボルト及びナット等によって両者を連結固定する。これによって、横に配したドア枠部材は、第１側面部、フランジ部及び第２側面部のコ字状をなす３面が、縦に配したドア枠部材に当接するため、その姿勢が拘束され、横軸周りの回転力に対抗することができる。
【００２１】
以下、本発明の実施例を図面に基いて詳述する。
【実施例１】
【００２２】
図１は、本発明に係るドア枠の一例を示す正面図であり、図中、２ａは縦枠部材（本体）、２ｂは横枠部材（本体）である。図１に示した如く、ドア枠１は、距離を隔てて互いに平行に配した縦枠部材２ａ，２ａの間に、端面視の形状及び寸法が縦枠部材２ａと同じになした複数の横枠部材２ｂ，２ｂ，…を、縦枠部材２ａの長手方向へ適宜距離を隔てて横架させ、縦枠部材２ａ，２ａと各横枠部材２ｂ，２ｂ，…とを螺子止めして形成してある。なお、本実施例では、縦枠部材２ａ及び横枠部材２ｂは、その端面視の形状及び寸法が同じにしてあるが、本発明はこれに限らず、端面視の形状を後述する如き形状にすればよく、端面視の寸法は適宜に定めてもよい。但し、端面視の形状及び寸法を同じにした場合、縦枠部材２ａ及び横枠部材２ｂを同一のラインで製造することができるため、製造コストを可及的に低くすることができる。
【００２３】
図２は、図１に示した縦枠部材２ａ及び横枠部材２ｂ（以後、両者を枠部材２ともいう）の端面図である。枠部材２は、帯板の長手方向の全領域に亘って、その幅方向の中央より少し一側縁側の部分を、端面視が縦断フラスコ底形状に曲加工して、シート止用のスプリングを嵌入させる溝状凹部２１を設けてなり、該溝状凹部２１から前記帯板の一側縁側へ延出した部分は、溝状凹部２１の深さ方向へ、溝状凹部２１の底部から所定長だけ突出するように屈曲させて第１側面部２２になすと共に、その先縁部を内巻き曲加工して横倒Ｕ字状のフック部２５にしてある。
【００２４】
また、枠部材２の前記溝状凹部２１から前記帯板の他側縁側へ延出した部分は、溝状凹部２１の深さ方向へ、溝状凹部２１の底部位置まで屈曲させた後、その位置で、溝状凹部２１の深さ方向と直交し、溝状凹部２１から離隔する方向へ屈曲させてフランジ部２３になし、更に、溝状凹部２１の深さ方向へ、溝状凹部２１の底部から前記第１側面部２２の突出部分と同じ長さだけ突出するように屈曲させて第２側面部２４になすと共に、その先縁部を内巻き曲加工して前記第１側面部２２のフック部２５と鏡像関係をなすフック部２５にしてある。
【００２５】
このように、枠部材２は、端面視が全体としてコ字状をなしているため、捩れ強度が高い上に、第１側面部２２及び第２側面部２４の引張強度も向上する。更に、第１側面部２２のフック部２５と第２側面部２４のフック部２５との間に、後述する如く補強部材を横架し、該補強部材を螺子によって両フック部２５，２５に圧接させることによって、枠部材１の捩れ強度及び引張強度をより向上させることができる。
【００２６】
図３及び図４は、図１に示した横枠部材２ｂの平面図及び正面図である。なお、図中、図２に示した部分に対応する部分には同じ番号を付してある。図２に示した端面形状を有する横枠部材２ｂの両端部はそれぞれ、第１側面部２２及び第２側面部２４を各々矩形状に切削して切り欠き部２９ｂ，２９ｂ（２９ｂ，２９ｂ）を設けることによって、縦枠部材２ａのフランジ部２３（共に図１参照）に連結させる連結部２８ｂ，２８ｂにしてある。なお、この切り欠き部２９ｂ，２９ｂの奥行き寸法は、縦枠部材２ａのフランジ部２３の幅寸法と略同じにしてある。そして、両連結部２８ｂ，２８ｂのフランジ部２３及び溝状凹部２１の底部にはそれぞれ、対をなす第１貫通孔２７ｂ，２７ｂ、２７ｂ，２７ｂが開設してあり、第１貫通孔２７ｂ，２７ｂ、２７ｂ，２７ｂを挿通させたボルトにナットを螺合させることによって横枠部材２ｂを図１に示した縦枠部材２ａに連結させるようになっている。
【００２７】
これによって、横枠部材２ｂの第１側面部２２、フランジ部２３及び第２側面部２４のコ字状をなす３面が、縦枠部材２ａにそれぞれ当接するため、横枠部材２ｂはその姿勢が拘束され、横枠部材２ｂの長手方向の軸周りの回転力に対抗することができる。従って、縦枠部材２ａに連結させた横枠部材２ｂにガタが発生することが防止される。
【００２８】
図８は、図１に示したドア枠１を吊戸に適用した様態を示す部分側断面図であり、図中、４１は、出入口の上端部に横架された上レールである。なお、図中、図２に示した部分に対応する部分には同じ番号を付してその説明を省略する。上レール４１は、帯板を端面視が矩形Ｃ字状に曲加工することによって一面に開口４２を設けてなり、この開口４２が下に向くように配設されている。上レール４１の内部には鼓形状の戸車４３が前記開口４２を跨ぐように挿入してあり、両戸車４３，４３の括れ部分の周囲には、ドア枠１を支持する倒立Ω字状の支持具４４が遊嵌してある。そして、支持具４４はドア枠１の最上段の横枠部材２ｂに、それらを貫通させたボルトにナットを螺合させることによって連結固定してある。
【００２９】
この横枠部材２ｂの前記支持具４４の連結部分又はその近傍には、横枠部材２ｂを補強する補強部材３が固定してある。
【００３０】
図９は、図８に示した補強部材３を示す分解斜視図である。図９に示した如く、補強部材３は、長方形板状の基材３１の両短辺側の縁部を、図２に示したフック部２５，２５に応じた曲率で立ち上げて、横枠部材２ｂのフック部２５，２５に係合させる係合部３２，３２を設けてなり、基材３１の略中央には、基材３１を貫通し、ボルト３５を螺入・貫通させる螺子孔３３が開設してある。
【００３１】
かかる補強部材３によって横枠部材２ｂを補強するには、図８に示した如く、第１側面部２２と第２側面部２４との間に螺子孔３３にボルト３５を螺合させた補強部材３を挿入させ、補強部材３の係合部３２，３２第１側面部２２のフック部２５及び第２側面部２４のフック部２５にそれぞれ係合させる。そして、ボルト３５を螺入させて先端を横枠部材２ｂの溝状凹部２１の底面に当接させ、更に、ボルト３５を螺入させて、補強部材３の基材３１を横枠部材２ｂの内側から外側へ移動させることによって、係合部３２，３２に係合した第１側面部２２のフック部２５及び第２側面部２４のフック部２５を基材３１の中央方向へ引張固定する。
【００３２】
このように補強部材３によって横枠部材２ｂの第１側面部２２及び第２側面部２４が、支持されるのに加えて、補強部材３の中央方向へ引張られるため、横枠部材２ｂの支持具４４の連結部分に、鉛直方向の過大な力が加えられた場合であっても、当該部分が変形することが防止される。
【００３３】
図５、図６及び図７は、図１に示した縦枠部材２ａの正面図、側面図及び背面図である。図５〜図７に示した如く、縦枠部材２ａのフランジ部２３には、前述した横枠部材２ｂ，２ｂ，…の連結部２８ｂ，２８ｂ，…（図３参照）を連結固定させるための複数対の第２貫通孔２６ａ，２６ａ、２６ａ，２６ａ、…が、長手方向へ所定の間隔で開設してある。また、縦枠部材２ａの背面であって、前記第２貫通孔２６ａ，２６ａ、２６ａ，２６ａ、…に対応する位置にはそれぞれ、縦枠部材２ａを補強する補強部材３，３，…が前述した如く取付けてある。
【００３４】
そして、図１に示した如く、両縦枠部材２ａ，２ａの第２貫通孔２６ａ，２６ａ、２６ａ，２６ａ、…に位置合わせして、各横枠部材２ｂ，２ｂ，…の連結部２８ｂ，２８ｂ、２８ｂ，２８ｂ、…を縦枠部材２ａ，２ａのフランジ部２３，２３に外嵌させて、横枠部材２ｂ，２ｂ，…を縦枠部材２ａ，２ａの間に横架させる。そして、連結部２８ｂ，２８ｂ、２８ｂ，２８ｂ、…に開設した第１貫通孔２７ｂ，２７ｂ、２７ｂ，２７ｂ、…及び縦枠部材２ａ，２ａのフランジ部２３，２３に開設した第２貫通孔２６ａ，２６ａ、２６ａ，２６ａ、…を挿通させたボルトにナットを螺合させることによって横枠部材２ｂと縦枠部材２ａとを連結させてドア枠１を形成してある。
【００３５】
かかるドア枠１に長方形のビニールシートを被覆させ、このビニールシートの外側からその各縁部又は中間部分を複数の蛇行形状の前記スプリングでそれぞれ押さえ、各スプリングを、対応する縦枠部材２ａ，２ａ及び横枠部材２ｂ，２ｂ，…の溝状凹部２１，２１，…内に嵌入させてドアを形成する。
【００３６】
このようなドアにあっては、図８に示した如く、端面視が矩形Ｃ字状の上レール４１と組み合わせることによって、上レール４１をハウス妻面の内側に取付けた場合であっても、上レール４１をハウス妻面の外側に取付けた場合であっても、ドアのビニールシートを展張した面である表側を外に向けた姿勢で配設することができる。
【図面の簡単な説明】
【００３７】
【図１】本発明に係るドア枠の一例を示す正面図である。
【図２】図１に示した縦枠部材及び横枠部材の端面図である。
【図３】図１に示した横枠部材の平面図である。
【図４】図１に示した横枠部材の正面図である。
【図５】図１に示した縦枠部材の正面図である。
【図６】図１に示した縦枠部材の側面図である。
【図７】図１に示した縦枠部材の背面図である。
【図８】図１に示したドア枠を吊戸に適用した様態を示す部分側断面図である。
【図９】図８に示した補強部材を示す分解斜視図である。
【図１０】特許文献１に開示されたドア枠の使用様態を示す部分斜視図である。
【図１１】図１０に示した上レール６１及びドア枠５１の部分縦断面図である。
【符号の説明】
【００３８】
１      ドア枠
２      枠部材
３      補強部材
２ａ    縦枠部材
２ｂ    横枠部材
２１      溝状凹部
２２      第１側面部
２３      フランジ部
２４      第２側面部
２５      フック部
２６ａ    第２貫通孔
２７ｂ    第１貫通孔
２８ｂ    連結部
２９ｂ    切り欠き部
３１      基材
３２      係合部
３３      螺子孔
３５      ボルト
４１      上レール
４２      開口
４３      戸車
４４      支持具
【図１】
2005253414.tif 000003
【図２】
2005253414.tif 000004
【図３】
2005253414.tif 000005
【図４】
2005253414.tif 000006
【図５】
2005253414.tif 000007
【図６】
2005253414.tif 000008
【図７】
2005253414.tif 000009
【図８】
2005253414.tif 000010
【図９】
2005253414.tif 000011
【図１０】
2005253414.tif 000012
【図１１】
2005253414.tif 000013